(57)【要約】【課題】ユーザが、特に現在位置に関する入力を行うことなく、移動端末機によって現在地に関する情報を得ることができる基地局型情報提供方法を提供する。【解決手段】基地局２内に、基地局２の識別情報または基地局２の設置場所の位置情報を記憶させておく。基地局２が、識別情報または位置情報を前記サーバ１に送信し、サーバ１が識別情報または位置情報に対応する情報を基地局２へ送信する。基地局２は送信された情報を記憶部に記憶させる。そして、基地局２は、移動端末機３からの情報要求に対して、記憶部内の情報を移動端末機３へ送信する。これにより、移動端末機３のユーザは現在地に関する情報を位置情報の入力なしで得ることができる。【選択図】　　図１
2004023181.tif 000002
【特許請求の範囲】
【請求項１】
移動端末機と、該移動端末機と無線によって通信を行う基地局とを具備する基地局型情報提供システムにおいて、
前記基地局が、外部から入力された情報を内部の記憶部に記憶させ、
前記基地局が、前記移動端末機からの情報要求に対して、前記記憶部内の情報を前記移動端末機へ送信する
ことを特徴とする基地局型情報提供方法。
【請求項２】
移動端末機と、該移動端末機と無線によって通信を行う基地局と、該基地局と通信回線を介して通信を行うサーバとを具備する基地局型情報提供システムにおいて、
前記基地局内に、基地局の識別情報または基地局の設置場所の位置情報を記憶させておき、
前記基地局が、前記識別情報または位置情報を前記サーバに送信し、
前記サーバが前記識別情報または位置情報に対応する情報を前記基地局へ送信し、
前記基地局が送信された情報を記憶部に記憶させ、
前記基地局が、前記移動端末機からの情報要求に対して、前記記憶部内の情報を前記移動端末機へ送信する
ことを特徴とする基地局型情報提供方法。
【請求項３】
移動端末機と、該移動端末機と無線によって通信を行う基地局と、該基地局と通信回線を介して通信を行うサーバとを具備する基地局型情報提供システムにおいて、
前記サーバが前記基地局へその基地局独自の情報を送信し、
前記基地局が送信された情報を記憶部に記憶させ、
前記基地局が、前記移動端末機からの情報要求に対して、前記記憶部内の情報を前記移動端末機へ送信する
ことを特徴とする基地局型情報提供方法。
【請求項４】
移動端末機と、該移動端末機と無線によって通信を行う複数の基地局と、該複数の基地局と通信回線を介して通信を行うサーバとを具備する基地局型情報提供システムにおいて、
前記サーバが、各基地局に対応する場所情報と、基地局の識別情報または基地局の設置場所の位置情報を含むメタ情報とからなる送信情報を内部の記憶部に有し、
前記サーバが、前記送信情報を前記複数の基地局に向けて送信し、
前記複数の基地局の各々が前記メタ情報に基づいて自基地局向けの送信情報を受信し、
前記基地局が受信した送信情報に含まれる場所情報を記憶部に記憶させ、
前記基地局が、前記移動端末機からの情報要求に対して、前記記憶部内の場所情報を前記移動端末機へ送信する
ことを特徴とする基地局型情報提供方法。
【請求項５】
移動端末機と、該移動端末機と無線によって通信を行う基地局と、該基地局と通信回線を介して通信を行うサーバとを具備する基地局型情報提供システムにおいて、
前記基地局内に、基地局の識別情報または基地局の設置場所の位置情報を記憶させておき、
前記基地局が、前記移動端末機からの情報要求を受けて、前記情報要求に前記識別情報または位置情報を付与して前記サーバに送信し、
前記サーバが前記識別情報または位置情報に対応する情報を前記基地局へ送信し、
前記基地局が、前記サーバから受信した情報を前記移動端末機へ送信する
ことを特徴とする基地局型情報提供方法。
【請求項６】
移動端末機と、該移動端末機と無線によって通信を行う複数の基地局と、該複数の基地局と通信回線を介して通信を行うサーバとを具備する基地局型情報提供システムであって、
前記基地局が、請求項１から請求項５までの全てもしくは１つ以上の方法を実行する機能を具備すること特徴とする基地局型情報提供システム。
【請求項７】
前記複数の基地局は各基地局間で共通の番組チャネル表を持ち、前記移動端末機は前記番組チャネル表から番組を選択して情報要求を行い、前記基地局は前記移動端末機によって選択された番組に対応する情報を前記移動端末機へ送信することを特徴とする請求項６に記載の基地局型情報提供システム。
【発明の詳細な説明】
【０００１】
【発明の属する技術分野】
この発明は、携帯電話機、ＰＤＡ、ハンディタイプのパーソナルコンピュータ等の移動端末機へ情報を提供する基地局型情報提供方法および情報提供システムに関する。
【０００２】
【従来の技術】
移動端末機を所持するユーザが現在地に関する情報を欲しいと思うことはしばしばある。例えば、デパートへ行った場合は、そのデパートにおいてどのような特売が行われているか知りたいと思い、また、美術館へ行った場合は、次回の特別展はどのようなものかを知りたいと思う。また、旅行へ行った場合は、その土地の名物や名所を知りたいと思う。
【０００３】
このような場合、従来は、現在位置を知るために、人工衛星からの電波を受信したり、あるいは、測位用のアンテナからの電波を受信するなどして移動端末機が現在位置を測位し、その位置を情報提供を行っているサーバへ送信する必要があった。しかし、現在位置を測位する機能を有する移動端末機は比較的少なく、また、その機能を有する場合も操作が面倒であるという欠点があった。
【０００４】
【発明が解決しようとする課題】
この発明は、このような事情を考慮してなされたもので、その目的は、ユーザが移動先の現在地に関する情報を得ようとする時、特に現在位置に関する指定を行うことなく、簡単な操作で現在位置に関する情報を得ることができる基地局型情報提供方法および情報提供システムを提供することにある。
【０００５】
【課題を解決するための手段】
この発明は上記の課題を解決するためになされたもので、請求項１に記載の発明は、移動端末機と、該移動端末機と無線によって通信を行う基地局とを具備する基地局型情報提供システムにおいて、前記基地局が、外部から入力された情報を内部の記憶部に記憶させ、前記基地局が、前記移動端末機からの情報要求に対して、前記記憶部内の情報を前記移動端末機へ送信することを特徴とする基地局型情報提供方法である。
【０００６】
請求項２に記載の発明は、移動端末機と、該移動端末機と無線によって通信を行う基地局と、該基地局と通信回線を介して通信を行うサーバとを具備する基地局型情報提供システムにおいて、前記基地局内に、基地局の識別情報または基地局の設置場所の位置情報を記憶させておき、前記基地局が、前記識別情報または位置情報を前記サーバに送信し、前記サーバが前記識別情報または位置情報に対応する情報を前記基地局へ送信し、前記基地局が送信された情報を記憶部に記憶させ、前記基地局が、前記移動端末機からの情報要求に対して、前記記憶部内の情報を前記移動端末機へ送信することを特徴とする基地局型情報提供方法である。
【０００７】
請求項３に記載の発明は、移動端末機と、該移動端末機と無線によって通信を行う基地局と、該基地局と通信回線を介して通信を行うサーバとを具備する基地局型情報提供システムにおいて、前記サーバが前記基地局へその基地局独自の情報を送信し、前記基地局が送信された情報を記憶部に記憶させ、前記基地局が、前記移動端末機からの情報要求に対して、前記記憶部内の情報を前記移動端末機へ送信することを特徴とする基地局型情報提供方法である。
【０００８】
請求項４に記載の発明は、移動端末機と、該移動端末機と無線によって通信を行う複数の基地局と、該複数の基地局と通信回線を介して通信を行うサーバとを具備する基地局型情報提供システムにおいて、前記サーバが、各基地局に対応する場所情報と、基地局の識別情報または基地局の設置場所の位置情報を含むメタ情報とからなる送信情報を内部の記憶部に有し、前記サーバが、前記送信情報を前記複数の基地局に向けて送信し、前記複数の基地局の各々が前記メタ情報に基づいて自基地局向けの送信情報を受信し、前記基地局が受信した送信情報に含まれる場所情報を記憶部に記憶させ、前記基地局が、前記移動端末機からの情報要求に対して、前記記憶部内の場所情報を前記移動端末機へ送信することを特徴とする基地局型情報提供方法である。
【０００９】
請求項５に記載の発明は、移動端末機と、該移動端末機と無線によって通信を行う基地局と、該基地局と通信回線を介して通信を行うサーバとを具備する基地局型情報提供システムにおいて、前記基地局内に、基地局の識別情報または基地局の設置場所の位置情報を記憶させておき、前記基地局が、前記移動端末機からの情報要求を受けて、前記情報要求に前記識別情報または位置情報を付与して前記サーバに送信し、前記サーバが前記識別情報または位置情報に対応する情報を前記基地局へ送信し、前記基地局が、前記サーバから受信した情報を前記移動端末機へ送信することを特徴とする基地局型情報提供方法である。
【００１０】
請求項６に記載の発明は、移動端末機と、該移動端末機と無線によって通信を行う複数の基地局と、該複数の基地局と通信回線を介して通信を行うサーバとを具備する基地局型情報提供システムであって、前記基地局が、請求項１から請求項５までの全てもしくは１つ以上の方法を実行する機能を具備すること特徴とする基地局型情報提供システムである。
【００１１】
請求項７に記載の発明は、請求項６に記載の基地局型情報提供システムにおいて、前記複数の基地局は各基地局間で共通の番組チャネル表を持ち、前記移動端末機は前記番組チャネル表から番組を選択して情報要求を行い、前記基地局は前記移動端末機によって選択された番組に対応する情報を前記移動端末機へ送信することを特徴とする。
【００１２】
【発明の実施の形態】
以下、図面を参照し、この発明の一実施の形態について説明する。図１はこの発明の一実施の形態による基地局型情報提供システムの構成を示すブロック図である。この図において、符号１は情報提供を行うサーバ、２，２・・・はサーバ１と通信回線を介して接続された基地局、３，３・・・はユーザが所持する移動端末機である。この場合、基地局２は、無線ＬＡＮやＢｌｕｅｔｏｏｔｈ規格による通信機能を具備し、移動端末機３と通信を行う。また、移動端末機３はブラウザ等のユーザインターフェイスを有するパーソナルコンピュータ、ＰＤＡ等であり、基地局２と同様に、無線ＬＡＮやＢｌｕｅｔｏｏｔｈ規格による通信機能を具備している。
【００１３】
図２〜図６は、上述した基地局型情報提供システムの動作を示すフローチャートである。図２に示すフローチャートにおいては、基地局２のサービス提供者（係員）がキーボードによって情報を入力する（ステップＳａ１）。入力された情報は基地局内部の記憶部に記憶される。ユーザがその場所に関する情報を得たいと思った場合は、移動端末機３の操作キーによって情報要求の操作を行う（ステップＳａ２）。その要求は、無線によって最寄りの基地局２へ送信される。その要求を受信した基地局２は、記憶部にから情報を読み出し、移動端末機３へ送信する（ステップＳａ３）。なお、予め情報が記憶されたＩＣカードをカードリーダによって読み取らせ、その情報を基地局２の記憶部に記憶させることにより、基地局２の情報入力を行ってもよい。
【００１４】
図３に示すフローチャートにおいては、基地局２が自基地局のＩＤもしくは位置情報を指定してサーバ１へ情報要求を行う。サーバ１がその要求を受け、要求があった基地局２の場所に関する情報を基地局２へダウンロードする（ステップＳｂ１）。基地局２はその情報を内部の記憶部に記憶する（ステップＳｂ２）。ユーザが今いる場所に関する情報を得たいと思った場合は、移動端末機３の操作キーによって情報要求の操作を行う（ステップＳｂ３）。その要求は、無線によって最寄りの基地局２へ送信される。その要求を受信した基地局２は、記憶部にから情報を読み出し、移動端末機３へ送信する（ステップＳｂ４）。
【００１５】
図４に示すフローチャートにおいては、サーバ１が、管理する基地局２のテーブルを有しており、各基地局２へ定期的に、その基地局２の場所に関する情報を送信する（ステップＳｃ１）。基地局２はその情報を内部の記憶部に記憶する（ステップＳｃ２）。ユーザが今いる場所に関する情報を得たいと思った場合は、移動端末機３の操作キーによって情報要求の操作を行う（ステップＳｃ３）。その要求は、無線によって最寄りの基地局２へ送信される。その要求を受信した基地局２は、記憶部にから情報を読み出し、移動端末機３へ送信する（ステップＳｃ４）。
【００１６】
図５示すフローチャートにおいては、サーバ１が、図７に示すように、各基地局２に対応するメタ情報を有する場所情報を各基地局２へ送信する（ステップＳｄ１）。基地局２は自基地局に対応するメタ情報を有する場所情報を受信し（ステップＳｄ２）、その場所情報を内部の記憶部に記憶させる（ステップＳｄ３）。ステップＳｄ４、Ｓｄ５は上述したステップＳｃ３、Ｓｃ４と同じ処理である。
【００１７】
図６示すフローチャートにおいては、予め、基地局２の記憶部に自基地局のＩＤまたは設置場所の位置情報を記憶させておく。そして、ユーザが移動端末機３から場所に関する情報の要求（リクエスト）を行うと（ステップＳｅ１）、基地局２がそのリクエストを受け、内部の記憶部から自基地局のＩＤまたは位置情報を読み出し、リクエストに付与する（ステップＳｅ２）。次に、基地局２が、そのリクエストをサーバ１へ送信する（ステップＳｅ３）。サーバ１はそのリクエストを受け、そのリクエストに付属する基地局のＩＤまたは位置情報に対応する場所情報を記憶部から読み出し、基地局２へ送信する（ステップＳｅ４）。基地局２は受信した情報を移動端末機３へ送信する（ステップＳｅ５）。
【００１８】
なお、上述した各情報提供方法において、図８に示すように番組チャネル表５を基地局２のそれぞれに所有させる。そして、移動端末機３が最初に一度チャネル表を受け取った後、ユーザがチャネル表５からチャネルを選択して情報要求を行うと、基地局が、ユーザの好みの番組に関して基地局毎に異なった情報を送信することが可能となる。
【００１９】
また、上記実施の形態における基地局は、Ｂｌｕｅｔｏｏｔｈ規格による短距離無線通信によって移動端末機と接続されるものであったが、この発明は、移動端末機が携帯電話機やＰＨＳであり、基地局が無線電話回線基地局であってもよい。
【００２０】
【発明の効果】
以上説明したように、この発明によれば、基地局がその所在地に係る情報を移動端末機へ送信することができるので、ユーザは現在地を測位したり、入力すること無しに、移動端末機によって現在地に関する情報を基地局から取得することが出来る効果が得られる。また、ユーザは単に基地局を呼び出すだけで情報を得ることができ、操作が簡単であるという利点も得られる。
また、請求項７の発明によれば、ユーザに番組を指定させることにより、ユーザが、現在地に対応した、それぞれのユーザの好みのジャンルの情報を得ることができる。
【図面の簡単な説明】
【図１】この発明の一実施形態による基地局型情報提供システムの構成を示すブロック図である。
【図２】同実施形態の動作を説明するためのフローチャートである。
【図３】同実施形態の動作を説明するためのフローチャートである。
【図４】同実施形態の動作を説明するためのフローチャートである。
【図５】同実施形態の動作を説明するためのフローチャートである。
【図６】同実施形態の動作を説明するためのフローチャートである。
【図７】同実施形態において、サーバ１からダウンロードされる情報の一例を示す図である。
【図８】同実施形態による基地局型情報提供システムおよびそのシステムにおいて使用される番組チャネル表５を示す図である。
【符号の説明】
１…サーバ
２…基地局
３…移動端末機
５…番組チャネル表
【図１】
2004023181.tif 000003
【図２】
2004023181.tif 000004
【図３】
2004023181.tif 000005
【図４】
2004023181.tif 000006
【図５】
2004023181.tif 000007
【図６】
2004023181.tif 000008
【図７】
2004023181.tif 000009
【図８】
2004023181.tif 000010